(57)【要約】【課題】本発明は、小型の洗濯物を吊るすのに適した洗濯物挟み具を有する枠体としての物干し器を利用して、予備の洗濯物挟み具を簡便に準備できるようにすることを課題とする。【解決手段】戸外の物干し竿１に引掛け可能の上部フック２を有する枠体４に、多数の洗濯物挟み具５がフック５ａおよびリング６を介して着脱可能に設けられており、枠体４の一側にレール７が設けられて、同レール７に予備の洗濯物挟み具５Ａが、同レール７を挟むようにして取り付けられる。予備の洗濯物挟み具５Ａは他のハンガー８に掛けられた大型の洗濯物９を挟む場合にも利用される。【選択図】        図１
2004236817.tif 000002
【特許請求の範囲】
【請求項１】
戸外の物干し竿に引掛け可能の上部フックを有して水平に保持されるための枠体と、同枠体から垂下される多数の洗濯物挟み具とを備え、上記枠体の少なくとも一側に、予備の洗濯物挟み具に挟まれるようにして同挟み具を着脱可能に保持しうるレールが設けられたことを特徴とする、物干し器。
【請求項２】
上記洗濯物挟み具が、上記枠体から垂下されるリングに対して着脱可能のフックを備えていることを特徴とする、請求項１に記載の物干し器。
【請求項３】
上記枠体から垂下される多数の洗濯物挟み具のうち、互いに対向するものどうしは、互いに同じ色で、且つ、隣接する上記洗濯物挟み具の色とは異なる色を有していることを特徴とする、請求項１または２に記載の物干し器。
【発明の詳細な説明】
【０００１】０
【発明の属する技術分野】
本発明は、戸外で物干し竿などに引掛けて用いるのに適した物干し器に関し、特に枠体から垂下された多数の洗濯物挟み具（洗濯ばさみ）を有する物干し器に関する。
【０００２】
【従来の技術】
一般に、天気のよい日には、戸外で物干し竿などに、前述の物干し器を引掛けて、その洗濯物挟み具に靴下やハンカチなどの小型の洗濯物を挟んで吊るすことが行われているが、その際、上記物干し竿に直接あるいはハンガーを介してバスタオルやシーツなどの大型の洗濯物を掛けることも行われている。そして、このような大型の洗濯物については、風などを受けて落下することのないように、通常は洗濯物挟み具が装着される。
【０００３】
【発明が解決しようとする課題】
ところで、前述のように、バスタオルなどの大型の洗濯物を戸外へ運び出す際に、同洗濯物などを干すのに用いる洗濯物挟み具を同時に持ち運び出すのは面倒なことであり、多数の洗濯物挟み具を入れた容器を物干し竿に吊るしておく手段もあるが、このような手段では上記洗濯物挟み具のバネが錆びてしまうという不具合がある。
【０００４】
そこで本発明は、小型の洗濯物を吊るすのに適した洗濯物挟み具を有する枠体としての物干し器を利用して、予備の洗濯物挟み具を簡便に準備できるようにすることを課題とする。
【０００５】
【課題を解決するための手段】
前述の課題を解決するため、本発明の物干し器は、戸外の物干し竿に引掛け可能の上部フックを有して水平に保持されるための枠体と、同枠体から垂下される多数の洗濯物挟み具とを備え、上記枠体の少なくとも一側に、予備の洗濯物挟み具に挟まれるようにして同挟み具を着脱可能に保持しうるレールが設けられたことを特徴としている。
【０００６】
また、本発明の物干し器は、上記洗濯物挟み具が、上記枠体から垂下されるリングに対して着脱可能のフックを備えていることを特徴としている。
【０００７】
さらに、本発明の物干し器は、上記枠体から垂下される多数の洗濯物挟み具のうち、互いに対向するものどうしは、互いに同じ色で、且つ、隣接する上記洗濯物挟み具の色とは異なる色を有していることを特徴としている。
【０００８】
上述の本発明の物干し器では、枠体の少なくとも一側に設けられたレールを挟むようにして、所要の洗濯物挟み具を簡便に且つ整然と取り付けておくことができ、このようにして物干し竿などに、この物干し器を上部フックを介して引掛けた際に、自動的に予備の洗濯物挟み具を準備したことになり、この物干し器の近傍で物干し竿などに直接あるいはハンガーを介して引掛けられたバスタオルやシーツなどの大型の洗濯物を、上記予備の洗濯物挟み具を用いて簡便に挟み付け、落下しないように保持することが可能になる。
【０００９】
また、上記洗濯物挟み具が、上記枠体に装着されたリングに対して着脱可能のフックを備えていると、同枠体に予め装着されている上記洗濯物挟み具が破損した場合に、これを前記の予備の洗濯物挟み具と容易に交換することができる。
【００１０】
さらに、上記枠体から垂下された多数の洗濯物挟み具のうち、互いに対向するものどうしが、互いに同じ色を有して隣接する洗濯物挟み具の色と異なる色になっていると、上記の互いに対向する洗濯物挟み具を用いて所要の中サイズの洗濯物などを整然と且つ敏速に吊るすことが可能になる。
【００１１】
【発明の実施の形態】
以下、図面により本発明の一実施形態としての物干し器について説明すると、図１はその使用状態を示す斜視図、図２はその洗濯物挟み具の装着状態を拡大して示す斜視図である。
【００１２】
図１に示すように、戸外の物干し竿１に引掛け可能の上部フック２を、鎖または紐などの条体３を介して備えたプラスチック製枠体４に、多数の洗濯物挟み具５が垂下されており、同挟み具５は、枠体４に装着されたリング６に対して着脱可能のフック５ａを備えている。（図２参照）
【００１３】
また、枠体４の少なくとも一側に、予備の洗濯物挟み具５Ａに挟まれるようにして同挟み具５Ａを着脱可能に保持しうるステンレス鋼製またはアルミ製などのレール７が設けられている。
【００１４】
そして、枠体４のリング６にフック５ａを介し引掛けられた洗濯物挟み具５と、予備の洗濯物挟み具５Ａとは全く同形に構成されている。
【００１５】
さらに、枠体４から垂下された多数の洗濯物挟み具５のうち、互いに対向するものどうしは、互いに同じ色（例えば赤色）で、且つ、隣接する洗濯物挟み具５の色（例えば青色）とは異なる色を有している。
【００１６】
上述の本実施形態の物干し器では、枠体４の少なくとも一側に設けられたレール７を挟むようにして、所要の洗濯物挟み具５Ａを簡便に且つ整然と取り付けておくことができ、このようにして物干し竿１などに、この物干し器を上部フック２を介して引掛けた際に、自動的に予備の洗濯物挟み具５Ａを準備したことになり、この物干し器の近傍で物干し竿１などに直接あるいはハンガー８を介して引掛けられたバスタオルやシーツなどの大型の洗濯物９を、予備の洗濯物挟み具５Ａを用いて簡便に挟み付け、落下しないように保持することが可能になる。
【００１７】
また、洗濯物挟み具５，５Ａが、枠体４に装着されたリング６に対して着脱可能のフック５ａを備えているので、同枠体４に予め装着されている洗濯物挟み具５が破損した場合に、これを予備の洗濯物挟み具５Ａと容易に交換することができる。
【００１８】
さらに、枠体４から垂下された多数の洗濯物挟み具５のうち、互いに対向するものどうしが、互いに同じ色を有して隣接する洗濯物挟み具５の色と異なる色になっているので、同色の互いに対向する洗濯物挟み具５を用いて所要の中サイズの洗濯物などを整然と且つ敏速に吊るすことが可能になる。
なお、隣接する洗濯物挟み具５の高さに段差をつければ、使い勝手が一層向上するとともに、洗濯物の乾燥も促進されるようになる。
【００１９】
このようにして、本実施形態の物干し器によれば、小型の洗濯物を吊るすのに適した洗濯物挟み具を有する枠体としての物干し器を利用して、予備の洗濯物挟み具を簡便に準備できるようになり、家庭などにおける洗濯物の物干し作業の向上に寄与することができる。
【００２０】
【発明の効果】
以上詳述したように、本発明の物干し器によれば次のような効果が得られる。
（１）  枠体の少なくとも一側に設けられたレールを挟むようにして、所要の洗濯物挟み具を簡便に且つ整然と取り付けておくことができ、このようにして物干し竿などに、この物干し器を上部フックを介して引掛けた際に、自動的に予備の洗濯物挟み具を準備したことになり、この物干し器の近傍で物干し竿などに直接あるいはハンガーを介して引掛けられたバスタオルやシーツなどの大型の洗濯物を、上記予備の洗濯物挟み具を用いて簡便に挟み付け、落下しないように保持することが可能になる。（請求項１）
（２）  上記洗濯物挟み具が、上記枠体に装着されたリングに対して着脱可能のフックを備えていると、同枠体に予め装着されている上記洗濯物挟み具が破損した場合に、これを前記の予備の洗濯物挟み具と容易に交換することができる。（請求項２）
（３）  上記枠体から垂下された多数の洗濯物挟み具のうち、互いに対向するものどうしが、互いに同じ色を有して隣接する洗濯物挟み具の色と異なる色になっていると、上記の互いに対向する洗濯物挟み具を用いて所要の中サイズの洗濯物などを整然と且つ敏速に吊るすことが可能になる。（請求項３）
【図面の簡単な説明】
【図１】本発明の一実施形態としての物干し器の使用状態を示す斜視図である。
【図２】図１の物干し器における洗濯物挟み具の装着状態を拡大して示す斜視図である。
【符号の説明】
１  物干し竿
２  上部フック
３  条体
４  枠体
５  洗濯物挟み具
５Ａ  予備の洗濯物挟み具
５ａ  フック
６  リング
７  レール
８  ハンガー
９  大型の洗濯物
【図１】
2004236817.tif 000003
【図２】
2004236817.tif 000004